【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
大腿骨の近位端の切除面および前記大腿骨の髄内空洞の内側に移植するのに適合した補綴具であって、
外側の支承面を有する大腿骨頭要素と、
大腿骨ステム要素と、
を具え、該大腿骨ステム要素は、
前記大腿骨頭要素に係合可能な近位部および遠位頸部本体を有する頸部と、
該頸部の遠位にあってこれに隣接し、底面を有するフランジ部と、
該フランジ部の前記底面に隣接し、前記遠位頸部本体から延在する遷移本体領域と、
該遷移本体領域から遠位方向に延伸され、前記フランジ部の前記底面に対し鋭角をなす方向を向いた長手軸を有する延伸ステム部と、
を含み、前記遷移本体領域は、通常の歩行サイクルの間、前記底面が前記大腿骨の前記切除面に有効な圧縮荷重を及ぼすようにするために柔軟性をもつ形状とされていることを特徴とする補綴具。
【請求項２】
前記延伸ステム部は、実質的に一定の断面の周囲形状および寸法をもつ一様な包絡面を有することを特徴とする請求項１に記載の補綴具。
【請求項３】
前記延伸ステム部は近位セクションを含み、該近位セクションはその長手方向の全長に沿って実質的に変わらない断面形状を有し、前記フランジ底面と前記近位セクションとの間の、前記底面の法線方向で測定した最小変位が１３ｍｍ未満であることを特徴とする請求項１に記載の補綴具。
【請求項４】
前記フランジ部の前記底面から延在する回転制限ボスをさらに具えたことを特徴とする請求項１に記載の補綴具。
【請求項５】
前記フランジ部の前記底面から延在する回転制限ボスをさらに具えたことを特徴とする請求項２に記載の補綴具。
【請求項６】
前記回転制限ボスは、前記フランジ部の前記底面の付近にボス軸始点をもつ突出軸を有し、前記延伸ステムも前記フランジ部の前記底面の付近にステム軸始点を有し、前記ボス軸始点と前記ステム軸始点とは、前記延伸ステム部の最大断面より大きい長さをもって離隔していることを特徴とする請求項５に記載の補綴具。
【請求項７】
前記ボス軸始点と前記ステム軸始点とは実質的に平行であることを特徴とする請求項６に記載の補綴具。
【請求項８】
前記ボス軸始点と前記ステム軸始点とは実質的に平行でないことを特徴とする請求項６に記載の補綴具。
【請求項９】
前記突出軸は前記フランジ部の前記底面に垂直であることを特徴とする請求項６に記載の補綴具。
【請求項１０】
前記延伸ステム部は複数の長手方向溝が設けられた遠位セクションを有し、前記複数の長手方向溝は前記長手軸にほぼ平行に整列していることを特徴とする請求項１に記載の補綴具。
【請求項１１】
前記頸部は前記フランジ部の前記底面に対し鈍角をなして配置されていることを特徴とする請求項１に記載の補綴具。
【請求項１２】
前記鈍角は１００度ないし１７０度であることを特徴とする請求項１１に記載の補綴具。
【請求項１３】
前記頸部は第１端および第２端を有し、前記第１端が前記フランジ部に接続されてそこから近位方向に延在し、前記第２端が前記大腿骨頭要素に圧入される形状となっていることを特徴とする請求項１に記載の補綴具。
【請求項１４】
前記大腿骨頭要素の外側面の少なくとも一部が半球状であることを特徴とする請求項１３に記載の補綴具。
【請求項１５】
前記鋭角が１５度ないし８０度の範囲であることを特徴とする請求項１に記載の補綴具。
【請求項１６】
前記包絡面は前記長手軸に垂直な平面上で測定される最大断面積を有することを特徴とする請求項２に記載の補綴具。
【請求項１７】
前記延伸ステム部は、その長手軸の長さ方向に沿って測定したとき、少なくとも１００ｍｍの長さを有することを特徴とする請求項１に記載の補綴具。
【請求項１８】
前記延伸ステム部は傾斜部を含むことを特徴とする請求項１に記載の補綴具。
【請求項１９】
大腿骨の近位端の切除面および前記大腿骨の髄内空洞の内側に移植するのに適合した補綴具であって、
外側の支承面を有する大腿骨頭要素と、
大腿骨ステム要素と、
を具え、該大腿骨ステム要素は、
前記大腿骨の前記空洞の外側に実質的に延在する形状とされた頸部であって、前記大腿骨頭要素に係合可能な近位部および遠位頸部本体を有する頸部と、
該頸部本体から内方および遠位方向に突出し、底面を有するフランジ部と、
前記大腿骨の前記空洞内に実質的に延在する形状とされて前記頸部本体から遠位方向に延在し、前記フランジ部の前記底面に対し鋭角をなす方向を向いた長手軸を有する延伸ステム部と、
を含み、前記フランジの内方端の遠位の、前記延伸ステム部のほぼ全長に沿った断面形状の各々は、実質的に放射対称であることを特徴とする補綴具。
【請求項２０】
大腿骨の近位端の切除面および前記大腿骨の髄内空洞の内側に移植するのに適合した補綴具であって、
外側の支承面を有する大腿骨頭要素と、
大腿骨ステム要素と、
を具え、該大腿骨ステム要素は、
前記大腿骨の前記空洞の外側に実質的に延在する形状とされた頸部であって、前記大腿骨頭要素に係合可能な近位部および遠位頸部本体を有する頸部と、
該頸部本体から内方および遠位方向に突出し、底面を有するフランジ部と、
前記大腿骨の前記空洞内に実質的に延在する形状とされて前記頸部本体から遠位方向に延在し、前記フランジ部の前記底面に対し鋭角をなす方向を向いた長手軸を有する延伸ステム部と、
を含み、前記フランジの内方端の遠位の、前記延伸ステム部の実質的な全長は、実質的な円筒形状に囲まれていることを特徴とする補綴具。
【請求項２１】
大腿骨の近位端の切除面および前記大腿骨の髄内空洞の内側に移植するのに適合した補綴具であって、
外側の支承面を有する大腿骨頭要素と、
大腿骨ステム要素と、
を具え、該大腿骨ステム要素は、
前記大腿骨の前記空洞の外側に実質的に延在する形状とされた頸部であって、前記大腿骨頭要素に係合可能な近位部および遠位頸部本体を有する頸部と、
該頸部本体から内方および遠位方向に突出し、底面を有するフランジ部と、
前記大腿骨の前記空洞内に実質的に延在する形状とされて前記頸部本体から遠位方向に延在し、前記フランジ部の前記底面に対し鋭角をなす方向を向いた長手軸を有する延伸ステム部と、
を含み、前記フランジの内方端の遠位の、前記長手軸に垂直に測定した前記延伸ステム部のどの２つの最大断面の幅も１０％を超える差がないことを特徴とする補綴具。
【請求項２２】
前記延伸ステム部は近位セクションを含み、該近位セクションはその長手方向の全長に沿って実質的に変わらない断面形状を有し、前記フランジ底面と前記近位セクションとの間の、前記底面の法線方向で測定した最小変位は、前記長手軸に垂直な方向で測定した前記延伸ステム部の最大断面幅未満であることを特徴とする請求項１に記載の補綴具。
【請求項２３】
前記遷移本体領域は、前記頸部の軸と前記延伸ステム部の前記長手軸との間の横方向のオフセットを提供する形状であることを特徴とする請求項１に記載の補綴具。
【請求項２４】
前記フランジに対する前記頸部の内方接合部の遠位の、前記延伸ステム部のほぼ全長に沿った断面形状の各々は、実質的に放射対称であることを特徴とする請求項１９に記載の補綴具。
【請求項２５】
各々の断面形状は、円形、矩形、三角形、六角形および星形からなる群から選択されていることを特徴とする請求項１９に記載の補綴具。
【請求項２６】
前記延伸ステム部は、実質的に円形状をもつ近位セクションと、実質的に非円形状をもつ遠位セクションとを含むことを特徴とする請求項１９に記載の補綴具。
【請求項２７】
前記フランジの内方端の遠位の、前記延伸ステム部の実質的な全長は、実質的な円筒形状に囲まれていることを特徴とする請求項１９に記載の補綴具。
【請求項２８】
前記フランジの内方端の遠位の、前記長手軸に垂直に測定した前記延伸ステム部のどの２つの最大断面の幅も１０％を超える差がないことを特徴とする請求項２７に記載の補綴具。
【請求項２９】
前記大腿骨ステム要素は、前記フランジ部の前記底面に隣接する遷移本体領域をさらに含み、該遷移本体領域は、前記頸部の軸と前記延伸ステム部の前記長手軸との間の横方向のオフセットを提供する形状であることを特徴とする請求項１９に記載の補綴具。
【請求項３０】
前記フランジに対する前記頸部の内方接合部から遠位の、前記延伸ステム部の実質的な全長は、実質的な円筒形状に囲まれていることを特徴とする請求項２０に記載の補綴具。
【請求項３１】
前記延伸ステム部は、実質的に円形状をもつ近位セクションと、実質的に非円形状をもつ遠位セクションとを含むことを特徴とする請求項２０に記載の補綴具。
【請求項３２】
前記フランジの内方端の遠位の、前記長手軸に垂直に測定した前記延伸ステム部のどの２つの最大断面の幅も１０％を超える差がないことを特徴とする請求項２０に記載の補綴具。
【請求項３３】
前記大腿骨ステム要素は、前記フランジ部の前記底面に隣接する遷移本体領域をさらに含み、該遷移本体領域は、前記頸部の軸と前記延伸ステム部の前記長手軸との間の横方向のオフセットを提供する形状であることを特徴とする請求項２０に記載の補綴具。
【請求項３４】
前記フランジに対する前記頸部の内方接合部の遠位の、前記長手軸に垂直に測定した前記延伸ステム部のどの２つの最大断面の幅も１０％を超える差がないことを特徴とする請求項２１に記載の補綴具。
【請求項３５】
前記延伸ステム部は、実質的に円形状をもつ近位セクションと、実質的に非円形状をもつ遠位セクションとを含むことを特徴とする請求項２１に記載の補綴具。
【請求項３６】
前記大腿骨ステム要素は、前記フランジ部の前記底面に隣接する遷移本体領域をさらに含み、該遷移本体領域は、前記頸部の軸と前記延伸ステム部の前記長手軸との間の横方向のオフセットを提供する形状であることを特徴とする請求項２１に記載の補綴具。